(57)【要約】【課題】コンピュータの制御により実現されているユーザ間のコミュニケーションにおいて、知りたくない情報を偶然話題にしてしまう機会を減らす。【解決手段】拒否情報の通知回避システムは、ユーザが知りたくない拒否情報をユーザに関連付けて保持する拒否情報保持部５と、ユーザが既に知っている既知情報をユーザに関連付けて保持する既知情報保持部４と、既知情報保持部４により保持された各ユーザの既知情報と拒否情報保持部５により保持された各ユーザの拒否情報とに基づいて、あるユーザが知りたくない情報を知っている相手を発見したり、あるユーザが保持する情報の受信を拒否する相手を発見したりするマッチング判断部６と、その相手が発見された場合にユーザに警告を与える警告出力部８とを有する。【選択図】図１
2007272322.tif 000002
【特許請求の範囲】
【請求項１】
ユーザが知りたくない拒否情報をユーザに関連付けて保持する拒否情報保持手段と、
ユーザが既に知っている既知情報をユーザに関連付けて保持する既知情報保持手段と、
前記既知情報保持手段により保持された各ユーザの既知情報と前記拒否情報保持手段により保持された各ユーザの拒否情報とに基づいて、あるユーザが知りたくない情報を知っている相手を発見し、前記ユーザに警告を与える警告付与手段とを有することを特徴とする拒否情報の通知回避システム。
【請求項２】
ユーザが知りたくない拒否情報をユーザに関連付けて保持する拒否情報保持手段と、
ユーザが既に知っている既知情報をユーザに関連付けて保持する既知情報保持手段と、
前記既知情報保持手段により保持された各ユーザの既知情報と前記拒否情報保持手段により保持された各ユーザの拒否情報とに基づいて、あるユーザが保持する情報の受信を拒否する相手を発見し、前記ユーザに警告を与える警告付与手段とを有することを特徴とする拒否情報の通知回避システム。
【請求項３】
ユーザが知りたくない拒否情報をユーザに関連付けて保持する拒否情報保持手段と、
ユーザが既に知っている既知情報をユーザに関連付けて保持する既知情報保持手段と、
前記既知情報保持手段により保持された各ユーザの既知情報と前記拒否情報保持手段により保持された各ユーザの拒否情報とに基づいて、あるユーザが知りたくない情報を知っている相手を発見し、前記ユーザに警告を与える一方、あるユーザが保持する情報の受信を拒否する相手を発見し、前記ユーザに警告を与える警告付与手段とを有することを特徴とする拒否情報の通知回避システム。
【請求項４】
前記警告付与手段は、前記既知情報保持手段により保持された各ユーザの既知情報と前記拒否情報保持手段により保持された各ユーザの拒否情報とからマッチング処理を行うマッチング処理手段を有することを特徴とする請求項１乃至３のいずれか１項に記載の拒否情報の通知回避システム。
【請求項５】
外部システムから前記既知情報と前記拒否情報を取り込む処理手段をさらに有することを特徴とする請求項４記載の拒否情報の通知回避システム。
【請求項６】
前記外部システムは、映像録画部を有する映像操作システムであり、
前記処理手段は、前記映像操作システムと連携し、前記映像録画部に録画された情報を拒否情報として前記拒否情報保持手段に追加する手段を有することを特徴とする請求項５記載の拒否情報の通知回避システム。
【請求項７】
前記外部システムは、映像再生部を有する映像操作システムであり、
前記処理手段は、前記映像操作システムと連携し、前記映像再生部で再生された情報を、前記拒否情報保持手段に保持された拒否情報から削除すると共に、前記既知情報保持手段に追加する手段を有することを特徴とする請求項５記載の拒否情報の通知回避システム。
【請求項８】
前記外部システムは、映像再生部を有する映像操作システムであり、
前記処理手段は、前記映像操作システムと連携し、前記映像削除部で映像が削除されると、その映像に関連する情報を前記拒否情報保持手段に保持された拒否情報から削除する手段を有することを特徴とする請求項５記載の拒否情報の通知回避システム。
【請求項９】
前記外部システムは、映画チケット販売システムであり、
前記処理手段は、前記映画チケット販売システムと連携し、購入した映画チケットのタイトルを拒否情報として前記拒否情報保持手段に追加する手段を有することを特徴とする請求項５記載の拒否情報の通知回避システム。
【請求項１０】
前記外部システムは、映画視聴部を有する映画館システムであり、
前記映画館システムと連携し、前記映画視聴部で視聴された映画のタイトルを、前記拒否情報保持手段に保持された拒否情報から削除すると共に、前記既知情報保持手段に追加する手段を有することを特徴とする請求項５記載の拒否情報の通知回避システム。
【請求項１１】
前記警告付与手段は、前記ユーザが通信を開始する時点で警告を与える手段を有することを特徴とする請求項１乃至１０のいずれか１項に記載の拒否情報の通知回避システム。
【請求項１２】
前記警告付与手段は、与えた警告が無効になった場合、これを通知する手段を有することを特徴とする請求項１１記載の拒否情報の通知回避システム。
【請求項１３】
ユーザが知りたくない拒否情報をユーザに関連付けて保持する拒否情報保持手段と、
通信内容からユーザが既に知っている既知情報を解析する既知情報解析手段と、
前記拒否情報保持手段により保持された各ユーザの拒否情報と前記既知情報解析手段により解析された通信内容とに基づいて、あるユーザが知りたくない拒否情報を知っている通信内容を発見し、これを遮断する通信遮断手段とを有することを特徴とする拒否情報の通知回避システム。
【請求項１４】
前記通信遮断手段は、前記ユーザが通信を開始しようとした時点で警告を与える手段を有することを特徴とする請求項１３記載の拒否情報の通知回避システム。
【請求項１５】
前記通信遮断手段は、前記ユーザとの通信を確立しない手段を有することを特徴とする請求項１３又は１４記載の拒否情報の通知回避システム。
【請求項１６】
前記通信遮断手段は、前記通信内容から前記拒否情報を削除する手段を有することを特徴とする請求項１３又は１４記載の拒否情報の通知回避システム。
【請求項１７】
前記通信遮断手段は、前記通信内容のうち前記拒否情報を他の情報で置き換える手段を有することを特徴とする請求項１３又は１４記載の拒否情報の通知回避システム。
【請求項１８】
前記通信遮断手段は、前記ユーザに警告を与えると共に、前記警告を受信したユーザに動作を決定するように促す手段を有することを特徴とする請求項１３又は１４記載の拒否情報の通知回避システム。
【請求項１９】
外部に設けられた、ユーザが知りたくない拒否情報をユーザに関連付けて保持する拒否情報保持手段と、ユーザが既に知っている既知情報をユーザに関連付けて保持する既知情報保持手段とを参照して、
前記既知情報保持手段により保持された各ユーザの既知情報と前記拒否情報保持手段により保持された各ユーザの拒否情報とに基づいて、あるユーザが知りたくない情報を知っている相手を発見し、前記ユーザに警告を与える警告付与手段を有することを特徴とする拒否情報の警告情報判断装置。
【請求項２０】
ユーザが知りたくない拒否情報をユーザに関連付けて拒否情報保持部に保持するステップと、
ユーザが既に知っている既知情報をユーザに関連付けて既知情報保持部に保持するステップと、
前記既知情報保持部により保持された各ユーザの既知情報と前記拒否情報保持部により保持された各ユーザの拒否情報とに基づいて、あるユーザが知りたくない情報を知っている相手を発見し、前記ユーザに警告を与えるステップとを有することを特徴とする拒否情報の通知回避方法。
【請求項２１】
ユーザが知りたくない拒否情報をユーザに関連付けて拒否情報保持部に保持するステップと、
ユーザが既に知っている既知情報をユーザに関連付けて既知情報保持部に保持するステップと、
前記既知情報保持部により保持された各ユーザの既知情報と前記拒否情報保持部により保持された各ユーザの拒否情報とに基づいて、あるユーザが保持する情報の受信を拒否する相手を発見し、前記ユーザに警告を与えるステップとを有することを特徴とする拒否情報の通知回避方法。
【請求項２２】
ユーザが知りたくない拒否情報をユーザに関連付けて拒否情報保持部に保持するステップと、
ユーザが既に知っている既知情報をユーザに関連付けて既知情報保持部に保持するステップと、
前記既知情報保持部により保持された各ユーザの既知情報と前記拒否情報保持部により保持された各ユーザの拒否情報とに基づいて、あるユーザが知りたくない情報を知っている相手を発見し、前記ユーザに警告を与える一方、あるユーザが保持する情報の受信を拒否する相手を発見し、前記ユーザに警告を与えるステップとを有することを特徴とする拒否情報の通知回避方法。
【請求項２３】
ユーザが知りたくない拒否情報をユーザに関連付けて拒否情報保持部に保持するステップと、
通信内容からユーザが既に知っている既知情報を解析するステップと、
前記拒否情報保持部により保持された各ユーザの拒否情報と解析された通信内容とに基づいて、あるユーザが知りたくない拒否情報を知っている通信内容を発見し、これを遮断するステップとを有することを特徴とする拒否情報の通知回避方法。
【請求項２４】
外部に設けられた、ユーザが知りたくない拒否情報をユーザに関連付けて保持する拒否情報保持手段と、ユーザが既に知っている既知情報をユーザに関連付けて保持する既知情報保持手段とを参照するステップと、
前記既知情報保持手段により保持された各ユーザの既知情報と前記拒否情報保持手段により保持された各ユーザの拒否情報とに基づいて、あるユーザが知りたくない情報を知っている相手を発見し、前記ユーザに警告を与えるステップとを有することを特徴とする拒否情報の警告情報判断方法。
【請求項２５】
コンピュータに、
ユーザが知りたくない拒否情報をユーザに関連付けて拒否情報保持部に保持するステップと、
ユーザが既に知っている既知情報をユーザに関連付けて既知情報保持部に保持するステップと、
前記既知情報保持部により保持された各ユーザの既知情報と前記拒否情報保持部により保持された各ユーザの拒否情報とに基づいて、あるユーザが保持する情報の受信を拒否する相手を発見し、前記ユーザに警告を与えるステップとを実行させることを特徴とする拒否情報の通知回避プログラム。
【請求項２６】
コンピュータに、
ユーザが知りたくない拒否情報をユーザに関連付けて拒否情報保持部に保持するステップと、
ユーザが既に知っている既知情報をユーザに関連付けて既知情報保持部に保持するステップと、
前記既知情報保持部により保持された各ユーザの既知情報と前記拒否情報保持部により保持された各ユーザの拒否情報とに基づいて、あるユーザが知りたくない情報を知っている相手を発見し、前記ユーザに警告を与える一方、あるユーザが保持する情報の受信を拒否する相手を発見し、前記ユーザに警告を与えるステップとを実行させることを特徴とする拒否情報の通知回避プログラム。
【請求項２７】
コンピュータに、
ユーザが知りたくない拒否情報をユーザに関連付けて拒否情報保持部に保持するステップと、
通信内容からユーザが既に知っている既知情報を解析するステップと、
前記拒否情報保持部により保持された各ユーザの拒否情報と解析された通信内容とに基づいて、あるユーザが知りたくない拒否情報を知っている通信内容を発見し、これを遮断するステップとを実行させることを特徴とする拒否情報の通知回避プログラム。
【請求項２８】
コンピュータに、
外部に設けられた、ユーザが知りたくない拒否情報をユーザに関連付けて保持する拒否情報保持手段と、ユーザが既に知っている既知情報をユーザに関連付けて保持する既知情報保持手段とを参照するステップと、
前記既知情報保持手段により保持された各ユーザの既知情報と前記拒否情報保持手段により保持された各ユーザの拒否情報とに基づいて、あるユーザが知りたくない情報を知っている相手を発見し、前記ユーザに警告を与えるステップとを実行させることを特徴とする拒否情報の警告情報判断プログラム。
【発明の詳細な説明】
【技術分野】
【０００１】
本発明は、拒否情報の通知回避システム及び方法に係り、特にコンピュータの制御により実現されているユーザ間のコミュニケーションで用いるメッセージングシステム等に適用可能な拒否情報の通知回避システムに関する。
【背景技術】
【０００２】
従来から、ビデオテープレコーダーやＨＤＤ（Hard Disk Drive）レコーダーでＴＶ番組を録画し、あとから視聴するという状況は多くあった。しかし、たとえばサッカー中継のようなスポーツ試合の中継を録画し、後から視聴する場合に、試合結果を事前に知っていると視聴の楽しみが減ってしまうという問題があった。そのため、ユーザの要求として、知りたくない情報を知らせてほしくないというものがあり、この要求を満たす方法が求められてきた。
【０００３】
ユーザが情報を得る機会は、友達との会話、電話、メッセンジャー、メール、新聞、ＴＶ、ＷＷＷなどさまざまあるが、特にコンピュータの制御により実現されているコミュニケーションの場合は、知りたくない情報を知らせてほしくない技術が必要である。
【０００４】
本発明に関連する先行技術としては、特許文献１で提案されているコンテンツ抑制システムがある。このシステムは、録画するＴＶ番組のキーワードを用いて、そのＴＶ番組に関連するＷＷＷのニュースやメールなどのコンテンツを判定し、そのコンテンツの出力を抑制するものである。
【特許文献１】特開２００５−２１０５０１号公報
【発明の開示】
【発明が解決しようとする課題】
【０００５】
しかしながら、従来のコンピュータの制御により実現されているユーザ間のコミュニケーション（ニュース配信も含む）において、以下のようなユーザが知りたくない情報項目を偶然話題にしてしまい、知りたくない情報項目を知ってしまう問題があった。
【０００６】
（１）通信相手が知りたくない情報項目を偶然話題にしてしまい、通信相手が知りたくない情報項目を教えてしまう。
【０００７】
（２）自分が知りたくない情報項目を通信相手が知っていて、通信相手が偶然話題にしてしまい、自分が知りたくない情報項目を知ってしまう。
【０００８】
特許文献１は、このような問題を必ずしも意図してなされたものではない。また、特許文献1は、ユーザが知りたくない情報項目は保持するが、ユーザが既に知っている情報項目は保持しておらず、後述する本発明の構成のように拒否情報項目と既知情報項目とを保持し、両情報項目のマッチングにより上記（１）と（２）の問題の解決を試みるものとは方式が相違する。
【０００９】
本発明は、このような従来の事情を考慮してなされたもので、コンピュータの制御により実現されているユーザ間のコミュニケーションにおいて、知りたくない情報を偶然話題にしてしまう機会を減らすことを目的とする。
【課題を解決するための手段】
【００１０】
上記目的を達成するため、本発明に係る拒否情報の通知回避システムは、ユーザが知りたくない拒否情報をユーザに関連付けて保持する拒否情報保持手段と、ユーザが既に知っている既知情報をユーザに関連付けて保持する既知情報保持手段と、前記既知情報保持手段により保持された各ユーザの既知情報と前記拒否情報保持手段により保持された各ユーザの拒否情報とに基づいて、あるユーザが知りたくない情報を知っている相手を発見し、前記ユーザに警告を与える警告付与手段とを有することを特徴とする。
【００１１】
また、本発明に係る拒否情報の通知回避システムは、ユーザが知りたくない拒否情報をユーザに関連付けて保持する拒否情報保持手段と、ユーザが既に知っている既知情報をユーザに関連付けて保持する既知情報保持手段と、前記既知情報保持手段により保持された各ユーザの既知情報と前記拒否情報保持手段により保持された各ユーザの拒否情報とに基づいて、あるユーザが保持する情報の受信を拒否する相手を発見し、前記ユーザに警告を与える警告付与手段とを有することを特徴とする。
【００１２】
さらに、本発明に係る拒否情報の通知回避システムは、ユーザが知りたくない拒否情報をユーザに関連付けて保持する拒否情報保持手段と、ユーザが既に知っている既知情報をユーザに関連付けて保持する既知情報保持手段と、前記既知情報保持手段により保持された各ユーザの既知情報と前記拒否情報保持手段により保持された各ユーザの拒否情報とに基づいて、あるユーザが知りたくない情報を知っている相手を発見し、前記ユーザに警告を与える一方、あるユーザが保持する情報の受信を拒否する相手を発見し、前記ユーザに警告を与える警告付与手段とを有することを特徴とする。
【００１３】
本発明において、前記警告付与手段は、前記既知情報保持手段により保持された各ユーザの既知情報と前記拒否情報保持手段により保持された各ユーザの拒否情報とからマッチング処理を行うマッチング処理手段を有してもよい。
【００１４】
本発明において、外部システムから前記既知情報と前記拒否情報を取り込む処理手段をさらに有してもよい。
【００１５】
前記外部システムは、映像録画部を有する映像操作システムであり、前記処理手段は、前記映像操作システムと連携し、前記映像録画部に録画された情報を拒否情報として前記拒否情報保持手段に追加する手段を有してもよい。
【００１６】
前記外部システムは、映像再生部を有する映像操作システムであり、前記処理手段は、前記映像操作システムと連携し、前記映像再生部で再生された情報を、前記拒否情報保持手段に保持された拒否情報から削除すると共に、前記既知情報保持手段に追加する手段を有してもよい。
【００１７】
前記外部システムは、映像再生部を有する映像操作システムであり、前記処理手段は、前記映像操作システムと連携し、前記映像削除部で映像が削除されると、その映像に関連する情報を前記拒否情報保持手段に保持された拒否情報から削除する手段を有してもよい。
【００１８】
前記外部システムは、映画チケット販売システムであり、前記処理手段は、前記映画チケット販売システムと連携し、購入した映画チケットのタイトルを拒否情報として前記拒否情報保持手段に追加する手段を有してもよい。
【００１９】
前記外部システムは、映画視聴部を有する映画館システムであり、前記映画館システムと連携し、前記映画視聴部で視聴された映画のタイトルを、前記拒否情報保持手段に保持された拒否情報から削除すると共に、前記既知情報保持手段に追加する手段を有してもよい。
【００２０】
本発明において、前記警告付与手段は、前記ユーザが通信を開始する時点で警告を与える手段を有してもよい。前記警告付与手段は、与えた警告が無効になった場合、これを通知する手段を有してもよい。
【００２１】
また、本発明に係る拒否情報の通知回避システムは、ユーザが知りたくない拒否情報をユーザに関連付けて保持する拒否情報保持手段と、通信内容からユーザが既に知っている既知情報を解析する既知情報解析手段と、前記拒否情報保持手段により保持された各ユーザの拒否情報と前記既知情報解析手段により解析された通信内容とに基づいて、あるユーザが知りたくない拒否情報を知っている通信内容を発見し、これを遮断する通信遮断手段とを有することを特徴とする。
【００２２】
前記通信遮断手段は、前記ユーザが通信を開始しようとした時点で警告を与える手段を有してもよい。前記通信遮断手段は、前記ユーザとの通信を確立しない手段を有してもよい。前記通信遮断手段は、前記通信内容から前記拒否情報を削除する手段を有してもよい。前記通信遮断手段は、前記通信内容のうち前記拒否情報を他の情報で置き換える手段を有してもよい。前記通信遮断手段は、前記ユーザに警告を与えると共に、前記警告を受信したユーザに動作を決定するように促す手段を有してもよい。
【００２３】
本発明に係る拒否情報の警告情報判断装置は、外部に設けられた、ユーザが知りたくない拒否情報をユーザに関連付けて保持する拒否情報保持手段と、ユーザが既に知っている既知情報をユーザに関連付けて保持する既知情報保持手段とを参照して、前記既知情報保持手段により保持された各ユーザの既知情報と前記拒否情報保持手段により保持された各ユーザの拒否情報とに基づいて、あるユーザが知りたくない情報を知っている相手を発見し、前記ユーザに警告を与える警告付与手段を有することを特徴とする。
【００２４】
本発明に係る拒否情報の通知回避方法は、ユーザが知りたくない拒否情報をユーザに関連付けて拒否情報保持部に保持するステップと、ユーザが既に知っている既知情報をユーザに関連付けて既知情報保持部に保持するステップと、前記既知情報保持部により保持された各ユーザの既知情報と前記拒否情報保持部により保持された各ユーザの拒否情報とに基づいて、あるユーザが知りたくない情報を知っている相手を発見し、前記ユーザに警告を与えるステップとを有することを特徴とする。
【００２５】
また、本発明に係る拒否情報の通知回避方法は、ユーザが知りたくない拒否情報をユーザに関連付けて拒否情報保持部に保持するステップと、ユーザが既に知っている既知情報をユーザに関連付けて既知情報保持部に保持するステップと、前記既知情報保持部により保持された各ユーザの既知情報と前記拒否情報保持部により保持された各ユーザの拒否情報とに基づいて、あるユーザが保持する情報の受信を拒否する相手を発見し、前記ユーザに警告を与えるステップとを有することを特徴とする。
【００２６】
また、本発明に係る拒否情報の通知回避方法は、ユーザが知りたくない拒否情報をユーザに関連付けて拒否情報保持部に保持するステップと、ユーザが既に知っている既知情報をユーザに関連付けて既知情報保持部に保持するステップと、前記既知情報保持部により保持された各ユーザの既知情報と前記拒否情報保持部により保持された各ユーザの拒否情報とに基づいて、あるユーザが知りたくない情報を知っている相手を発見し、前記ユーザに警告を与える一方、あるユーザが保持する情報の受信を拒否する相手を発見し、前記ユーザに警告を与えるステップとを有することを特徴とする。
【００２７】
また、本発明に係る拒否情報の通知回避方法は、ユーザが知りたくない拒否情報をユーザに関連付けて拒否情報保持部に保持するステップと、通信内容からユーザが既に知っている既知情報を解析するステップと、前記拒否情報保持部により保持された各ユーザの拒否情報と解析された通信内容とに基づいて、あるユーザが知りたくない拒否情報を知っている通信内容を発見し、これを遮断するステップとを有することを特徴とする。
【００２８】
本発明に係る拒否情報の警告情報判断方法は、外部に設けられた、ユーザが知りたくない拒否情報をユーザに関連付けて保持する拒否情報保持手段と、ユーザが既に知っている既知情報をユーザに関連付けて保持する既知情報保持手段とを参照するステップと、前記既知情報保持手段により保持された各ユーザの既知情報と前記拒否情報保持手段により保持された各ユーザの拒否情報とに基づいて、あるユーザが知りたくない情報を知っている相手を発見し、前記ユーザに警告を与えるステップとを有することを特徴とする。
【００２９】
本発明に係る拒否情報の通知回避プログラムは、コンピュータに、ユーザが知りたくない拒否情報をユーザに関連付けて拒否情報保持部に保持するステップと、ユーザが既に知っている既知情報をユーザに関連付けて既知情報保持部に保持するステップと、前記既知情報保持部により保持された各ユーザの既知情報と前記拒否情報保持部により保持された各ユーザの拒否情報とに基づいて、あるユーザが保持する情報の受信を拒否する相手を発見し、前記ユーザに警告を与えるステップとを実行させることを特徴とする。
【００３０】
また、本発明に係る拒否情報の通知回避プログラムは、コンピュータに、ユーザが知りたくない拒否情報をユーザに関連付けて拒否情報保持部に保持するステップと、ユーザが既に知っている既知情報をユーザに関連付けて既知情報保持部に保持するステップと、前記既知情報保持部により保持された各ユーザの既知情報と前記拒否情報保持部により保持された各ユーザの拒否情報とに基づいて、あるユーザが知りたくない情報を知っている相手を発見し、前記ユーザに警告を与える一方、あるユーザが保持する情報の受信を拒否する相手を発見し、前記ユーザに警告を与えるステップとを実行させることを特徴とする。
【００３１】
また、本発明に係る拒否情報の通知回避プログラムは、コンピュータに、ユーザが知りたくない拒否情報をユーザに関連付けて拒否情報保持部に保持するステップと、通信内容からユーザが既に知っている既知情報を解析するステップと、前記拒否情報保持部により保持された各ユーザの拒否情報と解析された通信内容とに基づいて、あるユーザが知りたくない拒否情報を知っている通信内容を発見し、これを遮断するステップとを実行させることを特徴とする。
【００３２】
また、本発明に係る拒否情報の通知回避プログラムは、コンピュータに、外部に設けられた、ユーザが知りたくない拒否情報をユーザに関連付けて保持する拒否情報保持手段と、ユーザが既に知っている既知情報をユーザに関連付けて保持する既知情報保持手段とを参照するステップと、前記既知情報保持手段により保持された各ユーザの既知情報と前記拒否情報保持手段により保持された各ユーザの拒否情報とに基づいて、あるユーザが知りたくない情報を知っている相手を発見し、前記ユーザに警告を与えるステップとを実行させることを特徴とする。
【発明の効果】
【００３３】
本発明によれば、ユーザが知りたくない情報と知っている情報を登録することにより、ユーザ間のコミュニケーション（ニュース配信も含む）において、事前に知りたくない情報を知らせてしまう危険性を警告することができ、これにより、知りたくない情報を偶然話題してしまう機会を減らせることができる。
【００３４】
すなわち、本発明によれば、自分が知りたくない情報項目や知っている情報を登録し、自分が知りたくない情報項目を通信相手が知っている場合や、通信相手が知りたくない情報項目を自分が知っている場合に警告を出す。このため、ユーザ間のコミュニケーションにおいて、相手が何を知りたくないのか事前にわかるため、相手が知りたくない情報を偶然話題にしてしまうことを防げる。また、ユーザ間のコミュニケーションにおいて、自分が知りたくない情報を相手が知っていることがわかるため、自分が知りたくない情報を知る機会を減らせることができる。
【発明を実施するための最良の形態】
【００３５】
以下、本発明に係る拒否情報の通知回避システム及び方法の種々の実施例について、図面を参照して詳細に説明する。
【実施例１】
【００３６】
まず、本発明の第１の実施例について説明する。本実施例は、本発明に係る拒否情報の通知回避システムを具体的にメッセージングシステムに適用した例である。ここで、拒否情報とは、ユーザが知りたくない情報項目、既知情報とはユーザが既に知っている情報項目を表す。
【００３７】
図１に、本実施例の構成を示す。本実施例に係る拒否情報の通知回避システムは、機能上、本発明の要部を成す機能である拒否情報警告判断部１０と、その他の周辺機能であるメッセージ送受信部２０と、情報項目入力部３０とを備える。
【００３８】
拒否情報警告判断部１０は、既知情報保持部４と、拒否情報保持部５と、追加既知情報入力部１と、追加拒否情報入力部２と、削除拒否情報入力部３と、マッチング判断部６と、送受信者入力部７と、警告出力部８とを備える。
【００３９】
既知情報保持部４は、ユーザ識別子と、そのユーザ識別子が示すユーザの既知情報の組を０もしくは１つ以上保持する。拒否情報保持部４は、ユーザ識別子と、そのユーザ識別子が示すユーザの拒否情報の組を０もしくは１つ以上保持する。
【００４０】
追加既知情報入力部１は、情報項目入力部３０からユーザ識別子とそのユーザ識別子が示すユーザの既知情報を入力として受け取り、ユーザ識別子と既知情報の組みを既知情報保持部４へ登録する機能をもつ。
【００４１】
追加拒否情報入力部２は、情報項目入力部３０からユーザ識別子とそのユーザ識別子が示すユーザの拒否情報を入力として受け取り、ユーザ識別子と拒否情報の組みを拒否情報保持部５へ登録する機能をもつ。
【００４２】
削除拒否情報入力部３は、情報項目入力部３０からユーザ識別子とそのユーザ識別子が示すユーザが削除したい拒否情報を入力として受け取り、ユーザ識別子と拒否情報の組を拒否情報保持部５から検索し、もし該当するユーザ識別子と拒否情報の組が検索された場合は、該当するユーザ識別子と拒否情報の組を拒否情報保持部５から削除する機能をもつ。
【００４３】
既知情報保持部４と拒否情報保持部５は、すべてのユーザの既知情報や拒否情報を保持しており、ユーザの識別子をキーに既知情報や拒否情報を取得することができる機能をもつ。
【００４４】
送受信者入力部７は、メッセージ送受信部２０からメッセージ送信者のユーザ識別子とメッセージ受信者のユーザ識別子が誰であるかを受け取り、マッチング判断部６へ渡す。
【００４５】
マッチング判断部６は、メッセージ送信者のユーザ識別子とメッセージ受信者のユーザ識別子を受け取り、ユーザ識別子をキーに既知情報保持部４を検索することにより、メッセージ送信者やメッセージ受信者の既知情報や拒否情報を取得する。そして、マッチング判断部６は、取得された既知情報及び拒否情報から、（Ａ）メッセージ送信者の拒否情報保持部５とメッセージ受信者の既知情報保持部４に一致する情報項目があるかどうかと、（Ｂ）メッセージ送信者の既知情報保持部４とメッセージ受信者の拒否情報保持部５に一致する情報項目があるかどうかのマッチング判断を行い、一致する情報項目を検索する機能をもつ。マッチング判断部６で一致した情報項目が検索された場合は、警告出力部８へ一致した情報項目と、（Ａ）と（Ｂ）のどちらのマッチング判断で一致したかという情報を渡す。
【００４６】
警告出力部８は、マッチング判断部６から情報項目を受け取り、マッチング判断（Ａ）で一致した情報項目に対しては、メッセージ受信者はメッセージ送信者が知りたくない情報項目を知っているという内容の警告メッセージを作成し、マッチング判断（Ｂ）で一致した情報項目に対しては、メッセージ送信者はメッセージ受信者が知りたくない情報項目を知っているという内容の警告メッセージを作成し、メッセージ送受信部２０へ出力する。
【００４７】
メッセージ送受信部２０は、警告メッセージを受け取り、表示する。
【００４８】
図２に、図１に示すメッセージングシステムに適用された拒否情報の通知回避システムを複数ユーザで利用する場合の構成を示す。各ユーザのユーザ端末部１０１、１０２、１０３に情報項目入力部３０とメッセージ送受信部２０が存在する。各ユーザ端末部１０１、１０２、１０３の情報項目入力部３０とメッセージ送受信部２０は、通信回線を介して一つの拒否情報警告判断部１０へ接続されている。以降の例では、１対１のメッセージのやり取りについて説明するが、本発明を複数のユーザ端末部１０１、１０２、１０３間で利用するメッセージングシステムに適応してもよい。
【００４９】
次に、図３のフローチャートを参照して、本実施例の動作の流れについて説明する。
【００５０】
まず、複数のユーザ間で送受信されるメッセージによるコミュニケーションでは、（１）通信相手が知りたくない情報項目を偶然話題にしてしまい、通信相手が知りたくない情報項目を教えてしまう、（２）自分が知りたくない情報項目を通信相手が知っていて、通信相手が偶然話題にしてしまい、自分が知りたくない情報項目を知ってしまうという不都合な事態が生じることがあった。
【００５１】
その対策として、本実施例では、次の動作を行う。
【００５２】
まず、拒否情報警告判断部１０は、情報項目入力部３０から追加既知情報入力部１を介してメッセージ送信者又はメッセージ受信者の追加すべき既知情報が受信されたか否かを判定する（ステップＳｔ１）。その結果、追加すべき既知情報が受信された場合（ＹＥＳ）、拒否情報警告判断部１０は、その既知情報を既知情報保持部４に追加登録し（ステップＳｔ２）、ステップＳｔ１の処理に戻る。
【００５３】
上記ステップＳｔ１の判定で、追加すべき既知情報が受信されていない場合（ＮＯ）、拒否情報警告判断部１０は、情報項目入力部３０から追加拒否情報入力部２を介してメッセージ送信者又はメッセージ受信者の追加すべき拒否情報が受信されたか否かを判定する（ステップＳｔ３）。その結果、追加すべき拒否情報が受信された場合（ＹＥＳ）、拒否情報警告判断部１０は、その拒否情報を拒否情報保持部５に追加登録し（ステップＳｔ４）、ステップＳｔ１の処理に戻る。
【００５４】
上記ステップＳｔ３の判定で、追加すべき拒否情報が受信されていない場合（ＮＯ）、拒否情報警告判断部１０は、情報項目入力部３０から削除拒否情報入力部３を介してメッセージ送信者又はメッセージ受信者の削除すべき拒否情報が受信されたか否かを判定する（ステップＳｔ５）。その結果、削除すべき拒否情報が受信された場合（ＹＥＳ）、拒否情報警告判断部１０は、その拒否情報を拒否情報保持部５から削除し（ステップＳｔ６）、ステップＳｔ１の処理に戻る。
【００５５】
上記ステップＳｔ５の判定で、削除すべき拒否情報が受信されていない場合（ＮＯ）、拒否情報警告判断部１０は、メッセージ送受信部２０からメッセージ送信者によるメッセージ送信イベントが受信されたか否かを判定する（ステップＳｔ７）。その結果、メッセージ送信イベントが受信されていない場合（ＮＯ）、ステップＳｔ１の処理に戻る。
【００５６】
上記ステップＳｔ７の判定で、メッセージ送信イベントが受信された場合（ＹＥＳ）、拒否情報警告判断部１０は、既知情報保持部４及び拒否情報保持部５からメッセージ送信者及びメッセージ受信者の既知情報及び拒否情報を取得し（ステップＳｔ８）、マッチング判断部６により、前述したマッチング判断（Ａ）及び（Ｂ）を行う（ステップＳｔ９）。すなわち、（Ａ）メッセージ送信者の拒否情報保持部５とメッセージ受信者の既知情報保持部４に一致する情報項目があるかどうか、（Ｂ）メッセージ送信者の既知情報保持部４とメッセージ受信者の拒否情報保持部５に一致する情報項目があるかどうかのマッチング判断を行う。このマッチング判断は、全ての既知情報と拒否情報において繰り返し実行する。
【００５７】
そして、拒否情報警告判断部１０は、上記のマッチング判断により、マッチングする情報があるか否かを判断し（ステップＳｔ１０）、マッチングする情報がある場合、警告出力部８からメッセージ送受信部２０を介して、メッセージ送信者及びメッセージ受信者に対して警告出力を行う（ステップＳ１１）。
【００５８】
すなわち、マッチング判断（Ａ）に合致する情報項目がある場合は、メッセージ送信者がメッセージを送信時に、メッセージ送信者が知りたくない情報項目をメッセージ受信者が知っているという警告を、メッセージ送信者に対して行うと共に、メッセージ受信者がメッセージを受信時に同様な警告をメッセージ受信者に対して行う。これにより、上記（１）の事態が発生することを低減する。
【００５９】
また、マッチング判断（Ｂ）に合致する情報項目がある場合は、メッセージ送信者がメッセージを送信時に、メッセージ受信者が知りたくない情報項目を、メッセージ送信者が知っているという警告を、メッセージ送信者に対して行うと共に、メッセージ受信者がメッセージを受信時に、同様な警告をメッセージ受信者に対して行う。これにより、上記（２）の事態が発生することを低減する。
【００６０】
次に、上記動作の詳細について、ユーザＡとユーザＢ間でのメッセージのやり取りの状況を例にして説明する。
【００６１】
この例では、ユーザＡが「サッカー試合Ｘ」を録画し、後日視聴する予定であるため「サッカー試合Ｘ」の試合結果を知りたくないものとする。ユーザＢは「サッカー試合Ｘ」をすでに見ており、試合結果を知っているものとする。ここで、ユーザＡのユーザ識別子をｕｓｅｒＡ、ユーザＢのユーザ識別子をｕｓｅｒＢとする。
【００６２】
最初に、ユーザＡがユーザＢへメッセージを送る場合の動作の流れを説明する。
【００６３】
まず、ユーザＡは「サッカー試合Ｘ」の試合結果を知りたくないため、情報項目入力部３０を介して拒否情報警告判断部１０の追加拒否情報入力部２へ、「サッカー試合Ｘ」とｕｓｅｒＡというユーザ識別子を送信する。また、ユーザＡは追加すべき既知情報はないため、追加既知情報入力部１へは情報は送信されない。さらに、ユーザＡは削除すべき拒否情報はないため、削除拒否情報入力部３へは情報は送信されない。
【００６４】
一方、ユーザＢは「サッカー試合Ｘ」の試合結果を知っているため、情報項目入力部３０を介して追加既知情報入力部１へ「サッカー試合Ｘ」とｕｓｅｒＢというユーザ識別子を送信する。また、ユーザＢは追加すべき拒否情報はないため、追加拒否情報入力部２へは情報は送信されない。さらに、ユーザＢは削除すべき拒否情報はないため、削除拒否情報入力部３へは情報は送信されない。
【００６５】
すると、拒否情報警告判断部１０は、追加既知情報入力部１により、ユーザＡから追加するべき既知情報が受信されているか否かを判定する（ステップＳｔ１）。その結果、ユーザＢから「サッカー試合Ｘ」が追加するべき既知情報として受信されているため（ＹＥＳ）、受信した「サッカー試合Ｘ」とｕｓｅｒＢとの組みを既知情報保持部４に追加する（ステップＳｔ３）。この場合、ユーザＡからは追加するべき既知情報が受信されていないため（ＮＯ）、既知情報保持部４への既知情報の追加は行われない。
【００６６】
次いで、拒否情報警告判断部１０は、追加拒否情報入力部２により、追加するべき拒否情報が受信されているか否かを判定する（ステップＳｔ３）。その結果、ユーザＡから「サッカー試合Ｘ」が追加するべき拒否情報として受信されているため（ＹＥＳ）、受信した「サッカー試合Ｘ」とｕｓｅｒＡとの組みを拒否情報保持部５に追加する（ステップＳｔ４）。この場合、ユーザＢからは追加するべき拒否情報が受信されていないため（ＮＯ）、拒否情報保持部５への拒否情報の追加は行われない。
【００６７】
次いで、拒否情報警告判断部１０は、削除拒否情報入力部３により、削除するべき拒否情報が受信されているか否かを判定する（ステップＳｔ３）。この場合、ユーザＡ、Ｂのいずれかからも削除するべき拒否情報が受信されていないため（ＮＯ）、拒否情報保持部５からの拒否情報の削除は行われない。
【００６８】
次いで、拒否情報警告判断部１０は、メッセージ送受信部２０を介してメッセージ送信イベントが受信されたか否かを判定する（ステップＳｔ７）。
【００６９】
ここで、ユーザＡは、ユーザＢに対してメッセージを送るためにメッセージ送受信部２０のユーザＢへのメッセージ送信画面を開く。メッセージ送受信部２０は、送受信者入力部７へ、送信者のユーザ識別子がｕｓｅｒＡ、受信者のユーザ識別子がｕｓｅｒＢという入力を渡し、警告出力部８からの結果を待つ。このとき、送受信者入力部７は、送信者がｕｓｅｒＡ、受信者がｕｓｅｒＢという入力を受け取り、マッチング判断部６へ、メッセージ送信者がｕｓｅｒＡとメッセージ受信者がｕｓｅｒＢという入力を渡す。
【００７０】
すると、拒否情報警告判断部１０は、上記のユーザＡからのメッセージ送信イベントを受信したと判定し（ステップＳｔ７：ＹＥＳ）、マッチング判断部６により、既知情報保持部４及び拒否情報保持部５からユーザＡ及びユーザＢの既知情報及び拒否情報を検索する（ステップＳｔ８）。その際、メッセージ送信者であるｕｓｅｒＡをキーに拒否情報保持部５が検索され、この例ではユーザＡの拒否情報として「サッカー試合Ｘ」が取得される。また、メッセージ送信者であるｕｓｅｒＡをキーに既知情報保持部４が検索され、この例ではユーザＡの既知情報は取得されない。また、メッセージ受信者であるｕｓｅｒＢをキーに拒否情報保持部５が検索され、この例ではユーザＢの拒否情報は取得されない。さらに、メッセージ受信者であるｕｓｅｒＢをキーに既知情報保持部４が検索され、この例ではユーザＢの既知情報として「サッカー試合Ｘ」が取得される。
【００７１】
次いで、拒否情報警告判断部１０は、マッチング判断部６により、メッセージ送信者であるユーザＡのすべての拒否情報とメッセージ受信者であるユーザＢのすべての既知情報から、一致する情報があるかどうかを比較し（ステップＳｔ９、Ｓｔ１０）、この例では「サッカー試合Ｘ」が合致すると判断する。また、メッセージ送信者であるユーザＡのすべての既知情報とメッセージ受信者であるユーザＢのすべての拒否情報から、一致する情報項目があるかどうかを比較し（ステップＳｔ９、Ｓｔ１０）、この例では何も合致しないと判断する。
【００７２】
その結果、拒否情報警告判断部１０は、マッチング判断部６により、「サッカー試合Ｘ」はメッセージ送信者であるユーザＡの拒否情報であり、メッセージ受信者であるユーザＢの既知情報項目であることを、警告出力部８へ返す（ステップＳｔ１１）。
【００７３】
すると、警告出力部８は、マッチング判断部６からの返り値を受信し、「サッカー試合Ｘ」はメッセージ送信者であるユーザＡの拒否情報であり、メッセージ受信者であるユーザＢの既知情報であることから、ユーザＡ向けの「ユーザＢはサッカー試合Ｘを知っています」という警告メッセージをメッセージ送受信部２０へ出力する。これにより、メッセージ送受信部２０は、警告メッセージを受信し、ユーザＡからユーザＢへのメッセージ送信画面に「ユーザＢはサッカー試合Ｘについて既に知っています」という警告メッセージを表示する。
【００７４】
次に、上記の例とは逆にユーザＢがユーザＡへメッセージを送る場合の動作の流れについて、説明する。ここでは、ユーザＡがユーザＢへメッセージを送る場合と違う部分を中心に説明する。
【００７５】
この場合、上記のステップＳｔ１〜Ｓｔ６の動作は、上述したユーザＡがユーザＢへメッセージを送る場合と同様な動作をする。
【００７６】
次いで、ユーザＢは、ユーザＡに対してメッセージを送るためにメッセージ送受信部２０のユーザＡへのメッセージ送信画面を開く。メッセージ送受信部２０は、送受信者入力部へ、送信者がｕｓｅｒＢ、受信者がｕｓｅｒＡという入力を渡し、警告出力部８からの結果を待つ。すると、送受信者入力部７は、送信者がｕｓｅｒＢ、受信者がｕｓｅｒＡという入力を受け取り、マッチング判断部６へ、メッセージ送信者がｕｓｅｒＢとメッセージ受信者がｕｓｅｒＡという入力を渡す。
【００７７】
すると、拒否情報警告判断部１０は、上記のユーザＢからのメッセージ送信イベントを受信したと判定し（ステップＳｔ７：ＹＥＳ）、マッチング判断部６により、既知情報保持部４及び拒否情報保持部５からユーザＡ及びユーザＢの既知情報及び拒否情報を検索する（ステップＳｔ８）。この際も、上述したユーザＡがユーザＢへメッセージを送る場合と同様な動作をする。
【００７８】
次いで、拒否情報警告判断部１０は、マッチング判断部６により、メッセージ送信者であるユーザＢのすべての拒否情報とメッセージ受信者であるユーザＡのすべての既知情報から、一致する情報がないか比較し（ステップＳｔ９、Ｓｔ１０）、なにも合致しないと判断する。また、メッセージ送信者であるユーザＢのすべての既知情報とメッセージ受信者であるユーザＡのすべての拒否情報から、一致する情報がないか比較し、「サッカー試合Ｘ」が合致すると判断する。
【００７９】
その結果、拒否情報警告判断部１０は、マッチング判断部６により、「サッカー試合Ｘ」はメッセージ受信者であるユーザＡの拒否情報であり、メッセージ送信者であるユーザＢの既知情報であることを、警告出力部８へ返す（ステップＳｔ１１）。
【００８０】
すると、警告出力部８は、マッチング判断部６からの返り値を受信し、「サッカー試合Ｘ」はメッセージ受信者であるユーザＡの拒否情報であり、メッセージ送信者であるユーザＢの既知情報であることから、ユーザＢ向けの「ユーザＡはサッカー試合Ｘの話題を拒否しています」という警告メッセージをメッセージ送受信部２０へ出力する。これにより、メッセージ送受信部２０は、警告メッセージを受信し、ユーザＢからユーザＡへのメッセージ送信画面に「ユーザＡはサッカー試合Ｘの話題を拒否しています」という警告メッセージを表示する。
【００８１】
従って、実施例によれば、次の効果が得られる。
【００８２】
（１）ユーザ間のコミュニケーションにおいて、相手が何を知りたくないのか事前にわかるため、相手が知りたくない情報を偶然話題にしてしまうことを防げる。
【００８３】
（２）ユーザ間のコミュニケーションにおいて、自分が知りたくない情報を相手が知っていることがわかるため、自分が知りたくない情報を知る機会を減らせることができる。
【実施例２】
【００８４】
次に、本発明の第２の実施例について説明する。
【００８５】
本実施例に係る拒否情報の通知回避システムは、上述した第１の実施例の構成をＴＶ番組などの映像を録画再生できる装置と組み合わせ、自動的に既知情報や拒否情報の追加や削除を実行するものである。図４に示した本実施例の構成のように、図１の情報項目入力部３０と置き換えて、映像操作部４０と動作ロジック処理部５０を追加しても良い。
【００８６】
動作ロジック処理部５０は、ロジック実行部５１を保持する。ロジック実行部５１は、外部からのイベントを受信し、受信したイベント用の動作ロジックを実行し、実行結果として、追加既知情報入力部１や追加拒否情報入力部２や削除拒否情報入力部３へ情報を渡す処理を行う。映像操作部４０は、映像録画部４１と映像再生部４２と映像削除部４３と録画データ保持部４４を備える。動作ロジック処理部５０のロジックは「イベント→ロジック」のような形式で記述されている。
【００８７】
図５〜図７を参照して、本実施例の動作ロジック処理部５０のロジック処理について説明する。
【００８８】
まず、図５に示すように、動作ロジック処理部５０は、映像録画イベントを受信すると（ステップＳｔ２１）、そのイベントに対するロジック処理として、映像を録画したユーザの識別子と映像の名称の組を追加拒否情報入力部２へ渡す（ステップＳｔ２２）。
【００８９】
また、図６に示すように、動作ロジック処理部５０は、映像再生イベントを受信すると（ステップＳｔ２３）、そのイベントに対するロジック処理として、映像を再生したユーザの識別子と映像の名称の組を削除拒否情報入力部３と追加既知情報入力部１へ渡す（ステップＳｔ２４）。
【００９０】
さらに、図７に示すように、動作ロジック処理部５０は、映像削除イベントを受信すると（ステップＳｔ２５）、そのイベントに対するロジック処理として、映像を録画したユーザの識別子と映像の名称の組を削除拒否情報入力部３へ渡す（ステップＳｔ２６）。
【００９１】
映像録画部４１は、ユーザがＴＶ番組などの映像を録画し、映像の名称と録画データを録画データ保持部へ保存する機能を持つ。映像録画部４１は、映像を録画した場合に、映画録画イベントをロジック実行部へ渡す。
【００９２】
映像再生部４２は、録画データ保持部４４に保存されている録画データを再生する機能を持つ。映像再生部４２は、録画データを再生した場合に、映像再生イベントをロジック実行部へ渡す。
【００９３】
映像削除部４３は、録画データ保持部４４に保存されている録画データを削除する機能を持つ。映像削除部４３は、録画データを削除した場合に、映像削除イベントをロジック実行部５１へ渡す。
【００９４】
ここで、本実施例の動作について説明する。
【００９５】
まず、ユーザＡは、映像録画部４１を利用して「ドラマ番組Ｘ  第１話」を録画する。すると、映像録画部４１は、映像を録画したユーザの識別子がｕｓｅｒＡであり、映像の名称が「ドラマ番組Ｘ  第１話」であるという映像録画イベントをロジック実行部５１へ渡す。ロジック実行部５１は、映像録画イベントを受け取り、追加拒否情報入力部２へ、ｕｓｅｒＡと「ドラマ番組Ｘ  第１話」の組を渡す。追加拒否情報入力部２は、ｕｓｅｒＡと「ドラマ番組Ｘ  第１話」の組を拒否情報保持部５へ追加する。
【００９６】
次に、ユーザは、映像再生部４２を利用して、録画した「ドラマ番組Ｘ  第１話」のデータを再生する。すると、映像再生部４２は、ｕｓｅｒＡが「ドラマ番組Ｘ  第１話」を再生したという再生イベントをロジック実行部５１へ渡す。ロジック実行部５１は、削除拒否情報入力部３と追加既知情報入力部１へ、ｕｓｅｒＡと「ドラマ番組Ｘ  第１話」の組を渡す。削除拒否情報入力部３は、拒否情報保持部５からｕｓｅｒＡと「ドラマ番組Ｘ  第１話」の組を削除する。追加既知情報入力部１は、既知情報保持部４からｕｓｅｒＡと「ドラマ番組Ｘ  第１話」の組を追加する。
【００９７】
これらの機能により、ユーザが例えば「ドラマ番組Ｘ  第１話」を録画した場合、自動的に拒否情報保持部５へ「ドラマ番組Ｘ  第１話」が追加されるため、ユーザはその録画した「ドラマ番組Ｘ  第１話」のデータを再生するまでは、「ドラマ番組Ｘ  第１話」の結果を知る機会を減らすことができる。また、既知情報保持部４や拒否情報保持部５への追加や削除はユーザの再生や録画や削除操作と連動しているため、ユーザが手動で既知情報保持部４や拒否情報保持部５への追加や削除をする必要がなくなる。
【実施例３】
【００９８】
次に、本発明の第３の実施例について説明する。
【００９９】
本実施例に係る拒否情報の通知回避システムは、上述した第１の実施例の構成を映画のチケット販売システムや映画館の入館システムと組み合わせ、自動的に既知情報や拒否情報の追加や削除を実行するものである。図８に示した本実施例の構成のように、図４の映像操作部４１をチケット販売部６１と映画視聴部６２に置き換えてもよい。
【０１００】
チケット販売部６１は、チケットを購入した人のユーザ識別子と、映画のタイトルをチケット購入イベントとしてロジック実行部へ渡す機能をもつ。映画視聴部６２は、映画を視聴した人のユーザ識別子と、映画のタイトルを映画視聴イベントとしてロジック実行部５１へ渡す機能をもつ。
【０１０１】
図９及び図１０を参照して、本実施例の動作ロジック処理部５０のロジック処理について説明する。
【０１０２】
まず、図５に示すように、動作ロジック処理部５０は、チケット購入イベントを受信すると（ステップＳｔ３１）、そのイベントに対するロジック処理として、購入者のユーザ識別子と映画のタイトルの組を追加拒否情報入力部２へ渡す（ステップＳｔ３２）。
【０１０３】
また、図５に示すように、動作ロジック処理部５０は、映画視聴イベントを受信すると（ステップＳｔ３３）、そのイベントに対するロジック処理として、視聴者のユーザ識別子と映画のタイトルの組を削除拒否情報入力部３と追加既知情報入力部１へ渡す（ステップＳｔ３４）。
【０１０４】
これらの機能により、ユーザが例えば「Ｘ」という映画のチケットを購入した際は、自動的に拒否情報保持部５へ「Ｘ」が追加されるため、ユーザはその映画「Ｘ」を視聴するまで、「Ｘ」の結果を知る機会を減らすことができる。また、既知情報保持部４や拒否情報保持部５への追加や削除は、ユーザの映画チケット購入と映画館での映画の視聴と連動しているため、ユーザが手動で既知情報保持部４や拒否情報保持部５への追加や削除をする必要がなくなる。
【実施例４】
【０１０５】
次に、本発明の第４の実施例について説明する。
【０１０６】
本実施例に係る拒否情報の通知回避システムは、１つ以上の外部システムとして、上述した第２の実施例の映像操作部４０と第３の実施例のチケット販売部６１及び映画視聴部６２とを備えた構成において、既知情報や拒否情報の操作を１つ以上の外部システムからのイベントを受信し、ロジックを切り替え、実行することで、１つ以上の外部システムと拒否情報警告判断部１０との連携を行うものである。図１１に示した本実施例の構成のように、図４の構成の動作ロジック処理部５０に動作ロジック保持部５２を追加してもよい。
【０１０７】
ロジック実行部５１は、外部からのイベントを受信し、動作ロジック保持部５２からイベントをキーに実行すべきロジックを取得する。動作ロジック保持部５２は、イベントをキーにロジックを検索できる機能をもち、「イベント→ロジック」のような形式で記述されている。ロジック実行部５１は、動作ロジック保持部５２からロジックを取得した場合、実行し、実行結果として、追加既知情報入力部１や追加拒否情報入力部２や削除拒否情報入力部３へ情報を渡す処理を行う。
【０１０８】
これらの機能により、１つ以上の外部システムとの連携が容易になる。また、新たに外部システムと連携を増やしたい場合は、動作ロジック保持部５２へロジックを追加するだけで容易に連携が追加できる。
【実施例５】
【０１０９】
次に、本発明の第５の実施例について説明する。
【０１１０】
本実施例に係る拒否情報の通知回避システムは、上述した第１の実施例の拒否情報警告判断部８において、拒否情報を含んだ通信を遮断するものである。図１２に示した構成のように、図１の警告出力部８は、拒否情報を含んだ通信を遮断する機能をもった通信遮断部１１で置き換えてもよい。
【０１１１】
通信遮断部１１は、メッセージ送受信者から受け取った、通信内容を監視している。通信遮断部１１は、拒否情報と既知情報がマッチングするかの判断結果をマッチング判断部６から取得し、もし、送信者と受信者の間でマッチング条件（Ｂ）に合致する情報がある場合、通信内容に合致した情報が含まれないか監視する。もし、通信内容に合致した情報が含まれる場合、メッセージが送信される前に、その通信を遮断するようにメッセージ送受信部２０へ命令を送信する。メッセージ送受信部２０は、命令を受信し、通信を遮断する。また、通信を遮断したことをユーザへ表示してもよい。
【０１１２】
これにより、受信者が拒否している情報が受信者に伝わることを防ぐことができる。
【実施例６】
【０１１３】
次に、本発明の第６の実施例について説明する。
【０１１４】
本実施例に係る拒否情報の通知回避システムは、上述した第１の実施例において、拒否情報を含んだ通信に対して拒否情報をフィルタし、受信者から見えないようにするものである。図１３に示した構成のように、図１の警告出力部８は、拒否情報をフィルタする機能をもったフィルタ部１２で置き換えてもよい。
【０１１５】
フィルタ部１２は、メッセージ送受信者から受け取った、通信内容を監視している。フィルタ部１２は、拒否情報と既知情報がマッチングするかの判断結果をマッチング判断部６から取得し、もし、送信者と受信者の間でマッチング条件（Ｂ）に合致する情報がある場合、通信内容に対して合致した情報を削除したり、特定の文字で置き換えたりするなどのフィルタ処理を行い、受信者から見えないようにする。
【０１１６】
これにより、受信者が拒否している情報が受信者に伝わることを防ぐことができる。
【実施例７】
【０１１７】
次に、本発明の第７の実施例について説明する。
【０１１８】
本実施例に係る拒否情報の通知回避システムは、上述した第１の実施例に係るメッセージングシステムにおいて、既知情報を送信者が送ったメッセージの内容から取得するものである。
【０１１９】
図１４に示した構成のように、図１の既知情報保持部４と追加既知情報入力部１は、通信監視部７０で置き換えてもよい。
【０１２０】
通信監視部７０は、送信者が送ったメッセージの内容を監視しており、メッセージ内の情報を送信者の既知情報としてマッチング判断部６へ渡す機能を持っている。マッチング判断部６は、既知情報と拒否情報のマッチング処理を行うときに、既知情報保持部から送信者の既知情報を取得する代わりに、通信監視部７０から送信者の既知情報を取得する。
【０１２１】
以下に、本実施例の動作について、ユーザＡがユーザＢへインスタントメッセージを送信する例を用いて説明する。
【０１２２】
拒否情報保持部５は、ユーザＢの拒否情報として「ワールドカップ」「結果」という情報を登録しているとする。ユーザＡのユーザ識別子をｕｓｅｒＡ、ユーザＢのユーザ識別子をｕｓｅｒＢとする。
【０１２３】
まず、ユーザＡは、メッセージ送受信部２０を用いてユーザＢへ「ワールドカップ見た？予想通り日本が２−１で勝ったね！」というメッセージを送信する。
【０１２４】
メッセージ送受信部２０は、メッセージがユーザＢへ配送される前に、送信者がｕｓｅｒＡ、受信者がｕｓｅｒＢであることを送受信者入力部７へ渡す。
【０１２５】
マッチング判断部６は、送信者の既知情報を、通信監視部７０から取得する。
【０１２６】
通信監視部７０は、メッセージの内容を言語解析することにより、「ワールドカップ」「予想通り」「日本」「２−１」「勝った」という文字列を抜き出し、マッチング判断部６へ返す。
【０１２７】
マッチング判断部６は、「ワールドカップ」という情報が、送信者であるユーザＡの既知情報と、受信者であるユーザＢの拒否情報に合致すると判断する。
【０１２８】
警告出力部８は、マッチング判断部６から「ワールドカップ」という情報が合致するということを取得し、「ユーザＡからのメッセージに、ユーザＢが拒否している情報が含まれている可能性があります」という警告をメッセージ送受信部２０へ渡す。
【０１２９】
メッセージ送受信部２０は、ユーザＢへメッセージが配送される前に、ユーザＢのメッセージ表示画面に、警告出力部８から受け取った警告メッセージを表示する。ユーザＢはメッセージ表示画面に表示された警告メッセージを見て、表示するか、表示しないかを決定する。
【実施例８】
【０１３０】
次に、本発明の第８の実施例について説明する。
【０１３１】
本実施例に係る拒否情報の通知回避システムは、上述した第１の実施例において、拒否情報だけでなく、知りたい情報として要求情報を登録し、マッチング判断部が要求情報に対しても情報のマッチングを行うものである。なお、要求情報とは、ユーザが知りたい情報である。図１５に示した構成のように、追加要求情報入力部８１と削除要求情報入力部８２と要求情報保持部８３を追加しても良い。
【０１３２】
要求情報保持部８３は、ユーザ識別子と、そのユーザ識別子が示すユーザの要求情報の組を０もしくは１つ以上保持する。追加要求情報入力部８１は、ユーザ識別子とそのユーザ識別子が示すユーザの要求情報を入力として受け取り、ユーザ識別子と要求情報の組を要求情報保持部へ登録する機能を持つ。削除要求情報入力部８２は、ユーザ識別子とそのユーザ識別子が示すユーザが削除したい要求情報を入力として受け取り、ユーザ識別子と要求情報の組を要求情報保持部８３から検索し、もし該当するユーザ識別子と要求情報の組が検索された場合は、該当するユーザ識別子と要求情報の組を要求情報保持部８３から削除する機能をもつ。
【０１３３】
マッチング判断部６では、前述したマッチング判断（Ａ）と（Ｂ）のような拒否情報と既知情報のマッチングだけでなく、要求情報と既知情報のマッチング判断、すなわち（Ｃ）メッセージ送信者の要求情報保持部８３とメッセージ受信者の既知情報保持部４に一致する情報項目があるかどうか、（Ｄ）メッセージ送信者の既知情報保持部４とメッセージ受信者の要求情報保持部８３に一致する情報項目があるかどうかの判断を行う。このマッチング判断部６で一致した情報項目が検索された場合は、警告出力部８へ一致した情報項目、と（Ａ）、（Ｂ）、（Ｃ）、（Ｄ）のどのマッチング判断で一致したかという情報を渡す。
【０１３４】
警告出力部８は、マッチング判断部６から情報項目を受け取り、マッチング判断（Ｃ）で一致した情報項目に対しては、メッセージ受信者はメッセージ送信者が知りたい情報項目を知っているという内容の提言メッセージを作成し、マッチング判断（Ｄ）で一致した情報項目に対しては、メッセージ送信者はメッセージ受信者が知りたい情報項目を知っているという内容の提言メッセージを作成し、出力する。これにより、ユーザは警告メッセージを読むことにより、知りたい情報を知らせる機会を増やすことができる。
【０１３５】
次に、図１６のフローチャートを参照して、本実施例の動作の流れについて説明する。
【０１３６】
まず、拒否情報警告判断部１０は、情報項目入力部３０から追加既知情報入力部１を介してメッセージ送信者又はメッセージ受信者の追加すべき既知情報が受信されたか否かを判定する（ステップＳｔ７１）。その結果、追加すべき既知情報が受信された場合（ＹＥＳ）、拒否情報警告判断部１０は、その既知情報を既知情報保持部４に追加登録し（ステップＳｔ７２）、ステップＳｔ７１の処理に戻る。
【０１３７】
上記ステップＳｔ７１の判定で、追加すべき既知情報が受信されていない場合（ＮＯ）、拒否情報警告判断部１０は、情報項目入力部３０から追加要求情報入力部８１を介してメッセージ送信者又はメッセージ受信者の追加すべき要求情報が受信されたか否かを判定する（ステップＳｔ７３）。その結果、追加すべき要求情報が受信された場合（ＹＥＳ）、拒否情報警告判断部１０は、その要求情報を要求情報保持部８３に追加登録し（ステップＳｔ７４）、ステップＳｔ７１の処理に戻る。
【０１３８】
上記ステップＳｔ７３の判定で、追加すべき要求情報が受信されていない場合（ＮＯ）、拒否情報警告判断部１０は、情報項目入力部３０から削除要求情報入力部８２を介してメッセージ送信者又はメッセージ受信者の削除すべき要求情報が受信されたか否かを判定する（ステップＳｔ７５）。その結果、削除すべき要求情報が受信された場合（ＹＥＳ）、拒否情報警告判断部１０は、その要求情報を要求情報保持部８３から削除し（ステップＳｔ７６）、ステップＳｔ７１の処理に戻る。
【０１３９】
上記ステップＳｔ７５の判定で、削除すべき要求情報が受信されていない場合（ＮＯ）、拒否情報警告判断部１０は、メッセージ送受信部２０からメッセージ送信者によるメッセージ送信イベントが受信されたか否かを判定する（ステップＳｔ７７）。その結果、メッセージ送信イベントが受信されていない場合（ＮＯ）、ステップＳｔ７１の処理に戻る。
【０１４０】
上記ステップＳｔ７７の判定で、メッセージ送信イベントが受信された場合（ＹＥＳ）、拒否情報警告判断部１０は、既知情報保持部４及び要求情報保持部８３からメッセージ送信者及びメッセージ受信者の既知情報及び要求情報を取得し（ステップＳｔ７８）、マッチング判断部６により、前述したマッチング判断（Ｃ）及び（Ｄ）を行う（ステップＳｔ７９）。すなわち、（Ｃ）メッセージ送信者の要求情報保持部８３とメッセージ受信者の既知情報保持部４に一致する情報項目があるかどうか、（Ｄ）メッセージ送信者の既知情報保持部４とメッセージ受信者の要求情報保持部８３に一致する情報項目があるかどうかのマッチング判断を行う。このマッチング判断は、全ての既知情報と拒否情報において繰り返し実行する。
【０１４１】
そして、拒否情報警告判断部１０は、上記のマッチング判断により、マッチングする情報があるか否かを判断し（ステップＳｔ８０）、マッチングする情報がある場合、警告出力部８からメッセージ送受信部２０を介して、メッセージ送信者及びメッセージ受信者に対して警告出力を行う（ステップＳ８１）。
【０１４２】
すなわち、マッチング判断（Ｃ）に合致する情報項目があった場合は、メッセージ受信者はメッセージ送信者が知りたい情報を知っているという内容の提言メッセージを作成して出力する。また、マッチング判断（Ｄ）に合致する情報項目があった場合は、メッセージ送信者はメッセージ受信者が知りたい情報項目を知っているという内容の提言メッセージを作成し、出力する。これにより、ユーザは警告メッセージを読むことにより、知りたい情報を知らせる機会を増やすことができる。
【実施例９】
【０１４３】
次に、本発明の第９の実施例について説明する。
【０１４４】
本実施例に係る拒否情報の通知回避システムは、上述した第１の実施例において、拒否情報警告判断部１０の機能を、情報を保持する部分とマッチング判断をする部分の２つに分割した構成になっているものである。図１７に示した構成のように、図１の拒否情報警告判断部１０を情報保持部１００と警告判断部３００に分割しても良い。なお、警告判断部３００は、独立の装置として構成してもよい。
【０１４５】
情報保持部１００は、既知情報保持部４と、拒否情報保持部５と、追加既知情報入力部１と、追加拒否情報入力部２と、削除拒否情報入力部３の他に、新たな機能として既知情報出力部１３と拒否情報出力部１４を備える。
【０１４６】
警告判断部３００は、マッチング判断部６と、送受信者入力部７と、警告出力部８の他に、新たな機能として既知情報入力部１５と拒否情報入力部１６を備える。
【０１４７】
既知情報出力部１３と既知情報入力部１５は、既知情報通信部２０１に接続されている。また、拒否情報出力部１４と拒否情報入力部１６は、拒否情報通信部２０２に接続されている。既知情報通信部２０１は、一つ以上の既知情報出力部１３と一つ以上の既知情報入力部１５と接続することができる。また、拒否情報通信部２０２も、一つ以上の拒否情報出力部１４と一つ以上の拒否情報入力部１６と接続することができる。
【０１４８】
マッチング判断部６は、メッセージ送信者とメッセージ受信者の既知情報や拒否情報を取得する際に、既知情報入力部１５や拒否情報入力部１６へメッセージ送信者とメッセージ受信者の情報を渡す。
【０１４９】
以降の例では、マッチング判断部６がメッセージ送信者（ユーザＡ）の既知情報を取得する際の流れを説明する。なお、ユーザＡのユーザ識別子をｕｓｅｒＡとする。
【０１５０】
マッチング判断部６は、既知情報入力部１５へ、メッセージ送信者のユーザ識別子としてｕｓｅｒＡを渡す。既知情報入力部１５は、マッチング判断部６からｕｓｅｒＡを受け取り、既知情報通信部２０１に接続されているすべての既知情報出力部１３へｕｓｅｒＡを送信する。既知情報出力部１３は、ｕｓｅｒＡを受け取り既知情報保持部４からｕｓｅｒＡをキーに既知情報を検索する。もし、既知情報が検索された場合は、既知情報通信部２０１を介して、既知情報入力部１５へ情報を返す。既知情報入力部１５は、既知情報を受け取り、マッチング判断部６へ既知情報を渡す。
【０１５１】
マッチング判断部６がメッセージ送信者の拒否情報や、メッセージ受信者の既知情報や拒否情報を取得する際も同様の流れで取得する。
【０１５２】
これにより、拒否情報保持部５と既知情報保持部４をユーザごとに持たせることができ、ユーザのプライバシー守ることができる。また、ユーザごとに拒否情報保持部５と既知情報保持部４を持たせる場合は、拒否情報保持部５や既知情報保持部４にユーザ識別子を保存しなくてもよい。
【実施例１０】
【０１５３】
次に、本発明の第１０の実施例について説明する。
【０１５４】
本実施例に係る拒否情報の通知回避システムは、上述した第１の実施例において、拒否情報が削除された場合に、拒否情報の情報項目を知っているユーザへ、拒否情報が削除されたというメッセージを出すものである。図１８に示した構成のように、拒否終了報告部９１を追加してもよい。
【０１５５】
図１９を参照して、本実施例の動作について説明する。
【０１５６】
まず、削除拒否情報入力部３で拒否情報が削除された場合に、削除された情報項目とユーザの識別子を拒否終了報告部９１へ渡す（ステップＳｔ９１、Ｓｔ９２）。拒否終了報告部９１は、ユーザが拒否していた情報が解除になったことを表すためのメッセージ作成する（ステップＳｔ９３）。拒否終了報告部９１は、メッセージを表示するべきユーザを検索するために、マッチング判断部６へ、削除された情報項目を渡す（ステップＳｔ９４）。マッチング判断部６は、（Ｅ）削除された情報項目を既知情報として持っているユーザの識別子を既知情報保持部４から検索し、マッチング判断（Ｅ）で検索されたユーザの識別子を拒否終了報告部９１へ渡す（ステップＳｔ９５）。
【０１５７】
拒否終了報告部９１は、マッチング判断部６からユーザの識別子を受け取り、作成したメッセージとメッセージを表示するべきユーザをメッセージ送受信部２０へ渡す（ステップＳｔ９６）。これにより、メッセージ送受信部２０は、表示するべきユーザに対してメッセージを表示する。
【実施例１１】
【０１５８】
次に、本発明の第１１の実施例について説明する。
【０１５９】
本実施例に係る拒否情報の通知回避システムは、上述した第１の実施例において、ユーザの評価機能を追加することにより、意地悪をするユーザを排除するものである。図２０に示した構成のように、評価判断部９２と評価入力部９３と評価保持部９４を追加してもよい。
【０１６０】
図２１を参照して、本実施例の動作について説明する。
【０１６１】
まず、評価入力部９３は、メッセージ送受信部２０から評価を与える対象のユーザの識別子と、評価を上げるか下げるかを入力として受け取り、評価保持部９４へ保存されているユーザの評価を変更する（ステップＳｔ１０１、Ｓｔ１０２）。
【０１６２】
次に、警告出力部８は、警告を出力する際に、評価判断部９２へ警告を出力するユーザの識別子を渡す（ステップＳｔ１０３、Ｓｔ１０４）。評価判断部９２は、評価保持部９４へユーザ識別子をキーにユーザの評価を取得し、もしユーザの評価が低いようであれば、警告出力部８へユーザの評価が低いという情報を返す（ステップＳｔ１０５）。
【０１６３】
警告出力部８は、評価判断部９２から警告を出力するユーザの評価が低いという情報を得た場合は、そのユーザへの警告を抑制する（ステップＳｔ１０６）。
【０１６４】
これにより、ユーザがメッセージをやり取りしている際に、知りたくない情報項目を教えてくるユーザがいた場合に、対象となるユーザの評価を下げることや、自分が知りたくない情報を教えないでくれたユーザの評価を上げることができる。そして、評価が低いユーザは警告を無視して知りたくない情報を教えるような意地悪をするユーザであると判断し、警告を送信しないということができる。これにより、意地悪を防ぐことができる。
【０１６５】
以上、本発明の各実施例を詳細に説明したが、本発明は、代表的に例示した上述の各実施例に限定されるものではなく、当業者であれば、特許請求の範囲の記載内容に基づき、本発明の要旨を逸脱しない範囲内で種々の態様に変形、変更することができる。これらの変形例や変更例も本発明の権利範囲に属するものである。
【０１６６】
例えば、前述した各実施例に係る拒否情報の通知回避システムを構成する各部の少なくとも一部の機能は、プログラム制御で動作するプロセッサ（ＣＰＵ）と、制御プログラムや制御データ等を格納する記憶領域を有するメモリ（ＲＯＭ／ＲＡＭ）と、各種入出力装置（例えば、ハードディスク等の外部記録装置、通信モデムやＬＡＮインタフェース等の通信装置、ＣＲＴや液晶ディスプレイ等の表示装置、キーボードやマウス等の入力装置等の各種周辺装置）とを用いて実現することが可能である。この場合、プロセッサ、メモリ、及び各種入出力装置の各構成要素は、本発明の範疇に含まれる。
【０１６７】
また、前述した各実施例に係る拒否情報の通知回避システムを構成する各部の少なくとも一部の機能をプログラムコードを用いて実現する場合、かかるプログラムコード及びこれを記録する記録媒体は、本発明の範疇に含まれる。この場合のプログラムコードは、オペレーティングシステムや他のアプリケーションソフト等と共同して上記機能が実現される場合は、それらのプログラムコードも含まれる。また、記録媒体としては、前述したハードディスクやＲＯＭのほか、フレキシブルディスク、光ディスク、光磁気ディスク、ＣＤ−ＲＯＭ、磁気テープ、不揮発性のメモリカード等を用いることができる。
【産業上の利用可能性】
【０１６８】
本発明は、ＨＤＤレコーダー、映画チケット販売システム、インスタントメッセンジャーシステム、チャットシステム、メールシステム、ＲＳＳ（Rich Site Summary）リーダー、Ｗｅｂ上のニュース表示システム等の用途にも適用できる。
【図面の簡単な説明】
【０１６９】
【図１】本発明の第１の実施例に係る拒否情報の通知回避システムの全体構成を示す概略ブロック図である。
【図２】第１の実施例の拒否情報の通知回避システムを複数ユーザで利用する場合の構成を示す概略ブロック図である。
【図３】第１の実施例の動作を説明する概略フローチャートである。
【図４】本発明の第２の実施例に係る拒否情報の通知回避システムの全体構成を示す概略ブロック図である。
【図５】第２の実施例の映像録画時の動作を説明する概略フローチャートである。
【図６】第２の実施例の映像再生時の動作を説明する概略フローチャートである。
【図７】第２の実施例の映像削除時の動作を説明する概略フローチャートである。
【図８】本発明の第３の実施例に係る拒否情報の通知回避システムの全体構成を示す概略ブロック図である。
【図９】第３の実施例のチケット購入時の動作を説明する概略フローチャートである。
【図１０】第３の実施例の映画視聴時の動作を説明する概略フローチャートである。
【図１１】本発明の第４の実施例に係る拒否情報の通知回避システムの全体構成を示す概略ブロック図である。
【図１２】本発明の第５の実施例に係る拒否情報の通知回避システムの全体構成を示す概略ブロック図である。
【図１３】本発明の第６の実施例に係る拒否情報の通知回避システムの全体構成を示す概略ブロック図である。
【図１４】本発明の第７の実施例に係る拒否情報の通知回避システムの全体構成を示す概略ブロック図である。
【図１５】本発明の第８の実施例に係る拒否情報の通知回避システムの全体構成を示す概略ブロック図である。
【図１６】第８の実施例の動作を説明する概略フローチャートである。
【図１７】本発明の第９の実施例に係る拒否情報の通知回避システムの全体構成を示す概略ブロック図である。
【図１８】本発明の第１０の実施例に係る拒否情報の通知回避システムの全体構成を示す概略ブロック図である。
【図１９】第１０の実施例の動作を説明する概略フローチャートである。
【図２０】本発明の第１１の実施例に係る拒否情報の通知回避システムの全体構成を示す概略ブロック図である。
【図２１】第１１の実施例の動作を説明する概略フローチャートである。
【符号の説明】
【０１７０】
１  追加既知情報入力部
２  追加拒否情報入力部
３  削除拒否情報入力部
４  既知情報保持部
５  拒否情報保持部
６  マッチング判断部
７  送受信者入力部
８  警告出力部
１０  拒否情報警告判断部
２０  メッセージ送受信部
３０  情報項目入力部
【図１】
2007272322.tif 000003
【図２】
2007272322.tif 000004
【図３】
2007272322.tif 000005
【図４】
2007272322.tif 000006
【図５】
2007272322.tif 000007
【図６】
2007272322.tif 000008
【図７】
2007272322.tif 000009
【図８】
2007272322.tif 000010
【図９】
2007272322.tif 000011
【図１０】
2007272322.tif 000012
【図１１】
2007272322.tif 000013
【図１２】
2007272322.tif 000014
【図１３】
2007272322.tif 000015
【図１４】
2007272322.tif 000016
【図１５】
2007272322.tif 000017
【図１６】
2007272322.tif 000018
【図１７】
2007272322.tif 000019
【図１８】
2007272322.tif 000020
【図１９】
2007272322.tif 000021
【図２０】
2007272322.tif 000022
【図２１】
2007272322.tif 000023